(57)【要約】  音声再生のための装置（１００）は、変形可能な材料で作られた、ユーザの頭部（５０）用の静止要素（１０）を含み、右横方向支持エレメント（２０）および左横方向支持エレメント（３０）は、それぞれ静止要素（１０）の左右２つの側（１１、１２）に配置され、右横方向支持エレメント（２０）および左横方向支持エレメント（３０）は、静止要素（１０）によって互いに接続されており、右横方向支持エレメント（２０）および左横方向支持エレメント（３０）は、リスニング空間と横方向支持エレメントに平行な長手方向を互いに画定し、右横方向支持エレメント（２０）および左横方向支持エレメント（３０）にそれぞれ取り付けられた右スピーカー（２１）および左スピーカー（３１）は、右横方向支持エレメントと左横方向支持エレメントの間に画定されるリスニング空間（８０）に面するそれぞれの放音面（２２、３２）を有する。静止要素（１０）は、左右の耳（５２、５３）を有するユーザを右スピーカーおよび左スピーカー（２１、３１）に向けて配置するように構成された、頭部（５０）の一部（５１）のためのハウジング（１３）を提供し、左右の耳（５２、５３）はリスニング軸（５４）を形成する。スピーカー（２１、３１）はそれぞれウーファー（２３、３３）とツイーター（２４、３４）を有し、ツイーター（２４、３４）は、実質的にゼロに等しい第１の仰角値（α）の間でリスニング軸（５４）に対して所定の仰角（α）を向く対称軸（６０）を有し、ツイーター（２４、３４）は、互いに一直線上にあり、リスニング軸（５４）と平行な対称軸（６０）と、４５度に実質的に等しい第２の仰角値（α）を有し、ツイーター（２４、３４）は、リスニング軸よりも高い位置にある点に向かって収束する対称軸を有する。バイノーラル録音のシステムおよび多次元効果を再生するためのシステムも含まれる。【選択図】図１
2019528626.tif 000002
【特許請求の範囲】
【請求項１】
変形可能な材料で作られた、ユーザの頭部（５０）用の静止要素（１０）と、
前記静止要素（１０）のそれぞれ左右２つの側部（１１、１２）にそれぞれ配置された右横方向支持エレメント（２０）および左横方向支持エレメント（３０）であって、前記右横方向支持エレメントおよび前記左横方向支持エレメント（２０、３０）は、前記静止要素（１０）によって互いに接続され、互いの間にリスニング空間（８０）と、前記横方向支持エレメント（２０、３０）に平行な長手方向（１５）とを画定する前記右横方向支持エレメントおよび前記左横方向支持エレメント（２０、３０）と、
前記右横方向支持エレメントおよび前記左横方向支持エレメント（２０、３０）にそれぞれ取り付けられた右スピーカー（２１）および左スピーカー（３１）であって、前記リスニング空間（８０）に面するそれぞれの放音面（２２、３２）を有する前記右スピーカーおよび前記左スピーカー（２１、３１）を備えるスピーカーを組み込んだヘッド支持体でああって、
前記静止要素（１０）は、前記右スピーカーおよび前記左スピーカー（２１、３１）に向けてユーザの左右の耳（５２、５３）を配向するように構成された頭部（５０）の一部（５１）のための収容領域（１３）を提供し、前記左右の耳（５２、５３）はリスニング軸（５４）を形成し、
前記スピーカー（２１、３１）はそれぞれウーファー（２３、３３）とツイーター（２４、３４）を有し、前記ツイーターは対称軸（６０）を有し、前記スピーカ（２１、３１）が前記右横方向支持エレメントおよび前記左横方向支持エレメント（２０、３０）に取り付けられ、前記ツイーター（２４、３４）は、前記リスニング空間（８０）を向いており、実質的にゼロに等しい第１の仰角値（α）の間で前記リスニング軸（５４）に対して所定の仰角（α）を向いている前記対称軸（６０）を有し、前記ツイーター（２４、３４）は、互いに一直線上にあり、前記リスニング軸（５４）と平行な前記対称軸（６０）と、実質的に４５度に等しい第２の仰角値（α）を有し、前記ツイーター（２４、３４）は、前記リスニング軸（５４）よりも高い位置にある点（８１）に向かって収束する前記対称軸（６０）を有する、スピーカーを組み込んだヘッド支持体。
【請求項２】
前記ツイーターは、０から５ｃｍの間に設定された所定の高さ（ｚ）だけ前記リスニング軸（５４）よりも高い中心を有する、請求項１に記載のヘッド支持体。
【請求項３】
前記ツイーターは、０から１０ｃｍの間に設定された所定の距離（ｘ）だけ、前記ユーザに対して近位に前記長手方向に平行移動する中心を有する、請求項１に記載のヘッド支持体。
【請求項４】
上記の最初の位置において、前記ツイーター（２４、３４）は、前記ユーザが前記ハウジング（１３）上に前記頭部（５０）を置くときに、前記対称軸（６０）が前記リスニング軸（５４）と実質的に一致するように配置される請求項１に記載のヘッド支持体。
【請求項５】
前記ツイーター（２４、３４）および前記ウーファー（２３、３３）は、所定の方向（２５）に配向して配置され、前記方向は、０度と４５度の間に設定された所定の傾斜角（β）だけ水平面内で角度を形成し、好ましくは、前記傾斜角は０度と３５度の間に設定される請求項１に記載のヘッド支持体。
【請求項６】
前記ツイーター（２４、３４）および前記ウーファー（２３、３３）は所定の方向（２５）に配置され、前記方向は０度と１０度の間に設定された所定の配向角度（γ）だけ垂直面内に配向される請求項１に記載のヘッド支持体。
【請求項７】
前記静止要素（１０）は、前記静止要素（１０）において、前記ユーザの頭部を配置するように構成された収容凹部（１４）を提供し、前記収容凹部（１４）は、前記長手方向（１５）に対して対称的である請求項１に記載のヘッド支持体。
【請求項８】
前記左右のツィーター（２４、３４）は互いに電気的に交換されるように配置され、前記左右のウーファー（２３、３３）は互いに電気的に交換され、ユーザに対する多次元効果を維持する請求項１に記載のヘッド支持体。
【請求項９】
前記静止要素（１０）上に配置されたセンサ（９３０）が提供されており、前記センサは、ユーザの頭部の動き、または静止要素上のユーザの圧力を測定するために、ユーザと相互作用するように構成され、前記センサは、ユーザの状態に関する表示を提供し、頭と目の動きを識別し、支持体のソフトウェアコンテンツとの対話を可能にするように配置される請求項１に記載のオーディオ再生装置。
【請求項１０】
前記スピーカ（２２、３２）と共にサラウンドリスニング構成を形成するように、前記リスニング空間に配置されるスピーカー（９４０）が更に提供される、請求項１に記載のオーディオ再生装置。
【請求項１１】
タブレットまたは携帯電話などの携帯機器（９８０）を支持するように配置され、静止要素（１０）の上のユーザに見えるように配置されている連接構造（９９０）が提供され、前記連接構造（９９０）は、前記携帯機器（９８０）の位置を調整するために調整可能に構成されている請求項１に記載のオーディオ再生装置。
【請求項１２】
２つの対向する右側と左側の間に物理的および音響的障壁を提供するように構成されたダミーヘッド（１０１）と、
前記ダミーヘッド（１）の前記２つの対向する右側と左側に取り付けられた２つの耳介（１０６ａ、１０６ｂ）であって、外側を向く入口（１０１８ａ、１０１８ｂ）と、耳輪（１０７ａ、１０７ｂ）と耳たぶ（１０８ａ、１０８ｂ）との間の空洞とを有する凹部（１０１７ａ、１０１７ｂ）を画定する中央チャネルを有する前記耳介（１０６ａ、１０６ｂ）と、
前記２つの耳介（１０６ａ、１０６ｂ）に関連する２つの横マイクカプセル（１０５ａ、１０５ｂ）であって、前記横マイクカプセル（１０５ａ、１０５ｂ）は、録音環境に存在する音源から来る音を録音するように構成され、集音面（１０１５ａ、１０１５ｂ）を有する前記横マイクカプセル（１０５ａ、１０５ｂ）とを備える音源のバイノーラル録音のシステムであって、
前記横マイクカプセル（１０５ａ、１０５ｂ）のそれぞれは、実質的に前記入口（１０１８ａ、１０１８ｂ）および前記凹部（１０１７ａ、１０１７ｂ）内に配置された前記集音面（１０１５ａ、１０１５ｂ）と共に、それぞれの耳介（１０６ａ、１０６ｂ）の前記中央チャネルの前記凹部（１０１７ａ、１０１７ｂ）内に配置され、
前記ダミーヘッド（１０１）の２つの対向する右側と左側に取り付けられ、横方向を向く集音面を有する２つのさらなる横マイクカプセル（１０９ｃ、１０９ｄ）が提供され、前記２つのさらなる横マイクカプセル（１０９ｃ、１０９ｄ）は、耳介（１０６ａ、１０６ｂ）の外側、特に、耳介（１０６ａ、１０６ｂ）に取り付けられた前記横マイクカプセル（１０５ａ、１０５ｂ）に対して特に垂直方向に異なる位置に、特に前記耳介の上方で取り付けられる、音源のバイノーラル録音のシステム。
【請求項１３】
２つの正面マイクカプセル（１０５ｃ、１０５ｄ）が、前記ダミーヘッド（１０１）の前面に向けられた集音面を有する前記ダミーヘッド（１０１）に取り付けられて提供され、特に、前記２つの横マイクカプセル（１０５ａ、１０５ｂ）の前記２つの集音面は、互いに所定の第１の距離で配置され、前記正面マイクカプセルは、前記第１の距離よりも短い、第２の距離で互いに配置され、特に、第１の距離は前記耳介（１０６ａ、１０６ｂ）から１５から１３ｃｍの間に設定され、第２の距離は１３から１０ｃｍの間に設定され、特に、２つの耳介（１０６ａ、１０６ｂ）の耳輪（１０７ａ、１０７ｂ）は、互いから１５から２０ｃｍの間に設定された距離にあり、特に、前記２つのフロントマイクカプセル（１０５ｃ、１０５ｄ）は、前記横マイクカプセル（１０５ａ、１０５ｂ）に対して垂直方向に異なる位置（ｈ１）に配置され、特にそこから１から３ｃｍ高いまたは低い位置に配置される、請求項１２に記載のバイノーラル録音のシステム。
【請求項１４】
前記２つの正面マイクカプセル（１０５ｃ、１５０ｄ）の間には、前記正面マイクカプセル（１０５ｃ、１５０ｄ）を音響的に互いに絶縁するように配置され、音響的に絶縁性の材料から形成される仕切り壁（１０２０）が配置される請求項１３に記載のバイノーラル録音のシステム。
【請求項１５】
請求項１に記載のスピーカーを組み込んだヘッド支持体（１００）と、
複数のオーディオトラックを含むメモリ部であって、各オーディオトラックは、人体の障害を定義するオブジェクトに関連付けられたバイノーラル録音のシステムによって取得され、前記複数オーディオトラックの内の各オーディオトラックは、録音時に音源が配置されている少なくとも１つの所定の身体部分と関連付けられる、メモリ部と、
前記スピーカーを組み込んだヘッド支持体に前記オーディオトラックを送信するように構成された制御部（１００６）と、
前記制御部（１００６）に接続され、前記身体部分または各身体部分の表現をグラフィック表示し、少なくとも１つの身体部分を選択することを可能にするように構成された入力インターフェース（１０００）とを備える、多次元音響効果を分配するためのシステムであって、
インタフェース（１０００）内に存在する前記身体部分または各身体部分が選択されたとき、前記制御部（１００６）は、前記支持体のスピーカーに前記少なくとも１つの選択された身体部分に関連する少なくとも１つのオーディオトラックを再生させるように構成されている、多次元音響効果を分配するためのシステム。
【発明の詳細な説明】
【技術分野】
【０００１】
本発明は、音響再生手段を組み込んだヘッド支持体に関する。さらに、本発明は、多次元効果を分配するためのシステムに関する。
【０００２】
特に、本発明は、多次元マイクで録音された音のより信頼性のある知覚を可能にする音響再生手段を組み込んだヘッド支持体に関する。再生時に、音を録音するために使用されるマイクシステムに対する音源の移動方向を知覚するために、これらのマイクは、前後、左右、上下などの方向に応じて信頼性の高い方法で音声を録音できる。
【０００３】
さらに、本発明は、目的の一連の音やその他の多次元音響効果を再生することを目的とする音響再生システムに関する。
【０００４】
本発明は、スピーカーを組み込んだヘッド支持体または他の音響再生手段おかげで、録音の瞬間に音源の実際の位置に関してより信頼できる感覚をリスナーに提供する再生を可能にするマイクに関する。
【０００５】
特に、本発明は、２チャンネルオーディオ再生において、前後方向、左右方向、上下方向、静止方向または接近方向および移動方向など、少なくとも６つの音源方向における音の知覚を提供する録音システムに関する。
【０００６】
ＵＳ５０３１２１６Ａ又はＷＯ９８０７２９９Ａ１に記載されているシステムのように、例えばバイノーラルマイクを使用して録音された非常に高忠実度の録音が知られている。
【０００７】
音源方向や音源の移動方向などの空間的効果を再現するために、これらのオーディオ録音には、サラウンドシステムやハイファイヘッドフォンなどの高度な再生デバイスが必要である。
【０００８】
１人のユーザにそれを聞かせ、また頭を快適に支持させるために、オーディオ録音を伝播するように構成された様々な種類のスピーカーを組み込んだデバイスが知られている。「ミュージカルピロー」とも呼ばれるこのようなデバイスは、ヘッドレストの快適さと内蔵スピーカーによって提供されるミュージカルエンターテイメントを兼ね備えている。これらのデバイスは、職場でも家庭でも、すなわちウェルネスセンター、マッサージセンター、待合室、音楽療法センターなどでも使用することができる。
【０００９】
ＵＳ８５６６９８６Ｂ１は、ミュージカルピローの１例を記載している。このデバイスは、特に、使用者の顔を腹臥位で受けるように配置された円形開口部を備えた中央本体と、振動ユニットおよび回転ユニットを制御するための電子基板とを備える。このシステムはまた２つの側面体を含み、各側面体は電子基板と回転ユニットに接続されたスピーカーを備えている。このようにして、２つの側面体は、中央本体と同一平面上にある第１の位置から中央本体と直交する第２の位置まで回転することができる。このシステムはまた、電子基板を介して振動ユニットおよび回転ユニットを作動させるための制御部を備える。音声データを受信し、２つの側面体に配置されたスピーカーをプレイするための入力チャンネルも存在する。
【００１０】
このデバイスは、聴いている間に、任意の睡眠位置に対して、ユーザの頭部を快適に支持するという利点を有する。さらに、側面体は、２つの側面体が中央本体と同一平面上にある最小の障害物の位置から配向することができる。ポータルフレームは、ユーザがデバイスの中央本体を水平面上に置くことによって睡眠位置で聴くことを可能にする。ただし、このデバイスは多次元オーディオ録音を聴くために設計されていない。
【００１１】
ＦＲ２８７７５５４Ａ１は、弾性材料の長方形の基部と２つの側壁とを含む別の多機能装置を記載している。各側壁は、基部の左右両側に配置され、スピーカーを含む。さらに、カバー布は、基部に対して２つの側壁を直交して位置決めするための張力要素として使用される。このようにして、良好なステレオリスニングが基部に直交するスピーカーから得られる。このシステムはまた、快適な方法で、ユーザの頭の後ろ側を収容するように構成された形状記憶長方形要素を備える。特に、そのようなデバイスは、ユーザの頭の重さに従ってその形状を適合させる。
【００１２】
音源が上記のＵＳ５０３１２１６ＡおよびＷＯ９８０７２９９Ａ１に記載されているような高忠実度の録音システムから来る場合、一般に、上述のシステムは、元の音の伝達方向の現実的な知覚を可能にする再生音の聴取を提供しないという欠点を有する。
【００１３】
例えばＷＯ９６／１０８８４Ａ１、ＤＥ２５４５４４６Ａ１、およびＵＳ５０７３９３６に記載されているようにバイノーラル録音のシステムもあり、それはプレイさされたときに、録音された音に多次元の感覚を与える。しかしながら、特に正面領域がリスナーよりも低い場合には、これらのシステムは、上下方向の動きの感覚を知覚したり、正面領域から来る音を認識することを可能にしない。
【発明の概要】
【００１４】
したがって、本発明の目的は、録音時のマイクに対する音源の方向に対応して、可能な限り音源の方向をユーザに知覚させる、高忠実度の録音からの音の再生を得ることを可能にするスピーカーを組み込んだヘッド支持体を提供することである。
【００１５】
本発明の目的は、録音デバイスに関して録音時にユーザが音源の位置に可能な限り近い音源の位置を知覚することを可能にするスピーカーを組み込んだヘッド支持体を提供することである。
【００１６】
本発明の目的は、録音デバイスに対して接近または離れる際に録音された音源の移動方向に対応する移動の音声感覚を提供することができるスピーカーを組み込んだヘッド支持体を提供することである。
【００１７】
本発明の他の目的は、多次元録音の忠実度の高いリスニングに影響を与えることなく、ユーザの姿勢に関して多用途の利用を可能にするスピーカーを組み込んだヘッド支持体を提供することである。
【００１８】
本発明の目的は、ユーザの多様な姿勢を可能にし、多くの応用分野で使用することができるスピーカーを組み込んだヘッド支持体を提供することである。
【００１９】
本発明の目的は、多次元の音の拡散とリスニングの快適さを兼ね備えたスピーカーを組み込んだヘッド支持体を提供することである。
【００２０】
本発明の他の特定の目的は、音の多次元リスニングに影響を与えることなく、頭の形状や重量が異なるユーザが使用できるスピーカーを組み込んだヘッド支持体を提供することである。
【００２１】
本発明のさらに他の目的は、スピーカーを組み込んだヘッド支持体と組み合わせて使用する場合、ユーザまたは補助オペレーターによって選択された方向から来ると知覚される音の所定のサウンドシーケンスを提供することができる多次元音響効果を分配するためのシステムを提供することである。
【００２２】
本発明の目的は、ステレオリスニングの状況で、本発明によるスピーカーを組み込んだヘッド支持体を介して、または他の装置もしくは再生システムを介して、録音の瞬間に、音源の接近する／離れる方向を現実的に知覚することを可能にするバイノーラル録音のシステムを提供することである。
【００２３】
本発明の他の特定の目的は、このようなステレオリスニングの状況において、録音時に上から下へ、またはその逆から来る場合に、音源の知覚の向上を可能にし、特に、録音の瞬間に、仮想のリスナーと地面の間を動いている音の知覚を可能にするバイノーラル録音のシステムを提供することである。
【００２４】
本発明の他の特定の目的は、このようなステレオリスニングの状況において、正面から来る場合の、音源の知覚の向上を可能にし、例えば録音時に実際の音の仮想のリスナーの前で移動する音を可能にするバイノーラル録音のシステムを提供することである。
【００２５】
これらおよび他の特徴は、本発明によるスピーカーを組み込んだ頭部支持装置により達成され、スピーカーを組み込んだ頭部支持装置は：
変形可能な材料で作られた、ユーザの頭部用の静止要素と；
レスト要素の右側および左側にそれぞれ配置された右横方向支持エレメントおよび左横方向支持エレメントであって、右横方向支持エレメントおよび左横方向支持エレメントは、静止要素により互いに連結されており、右横方向支持エレメントおよび左横方向支持エレメントは、リスニング空間と、横方向支持エレメントに平行な長手方向を互いに画定する横方向支持エレメントおよび左横方向支持エレメント；
右横方向支持エレメントおよび左横方向支持エレメントにそれぞれ取り付けられた右スピーカーおよび左スピーカーであって、リスニング空間に面するそれぞれの放音面を有する右スピーカーおよび左スピーカーとを備え；
レスト要素は、ユーザの左右の耳が右スピーカーおよび左スピーカーの方向を向くように構成された頭部の一部分のための収容領域を提供し、左右の耳がリスニング軸を作り、
スピーカーは、ウーファー（ｗｏｏｆｅｒ）とツイーター（ｔｗｅｅｔｅｒ）を有し、ツイーターは、対称軸を有し、スピーカーは、右横方向支持エレメントおよび左横方向支持エレメントに取り付けられ、それにより、ツイーターがリスニング空間に向けられ、リスニング軸に対して対称軸が、ゼロに実質的に等しい第１の仰角値の間で所定の仰角を向くようにし、ツイーターは、互いに一直線上にあり、リスニング軸と平行な対称軸と、４５度に実質的に等しい第２の仰角値を有し、ツイーターは、リスニング軸よりも高い位置にある点に向かって収束する対称軸を有する。
【００２６】
可能な実施形態において、ツイーターの中心はリスニング軸よりも０から５ｃｍに設定された所定の高さだけ高い。
【００２７】
別の可能な実施形態において、ツイーターは、０から１０ｃｍの間に設定された所定の距離だけ、ユーザに近い長手方向に平行移動する中心を有する。
【００２８】
第１の仰角値において、ユーザが頭部を収容領域に置いているとき、対称軸はリスニング軸と実質的に一致するように、ツイーターは配置される。
【００２９】
さらに別の例示的な実施形態において、ツイーターとウーファーは所定の方向を向いており、この方向は、水平面に対して０度から４５度に設定された角度を形成し、好ましくは傾斜角は０度から３５度に設定されている。
【００３０】
さらなる例示的な実施形態において、ツイーターとウーファーは所定の方向を向いており、方向は、垂直面に対して０度から１０度の角度を形成する。
【００３１】
このようにして、ツイーターを上記の画定された位置の間に設定された位置に維持すること、ウーファーとツイーターの間の音の識別、およびユーザの頭部の位置に対する左右のツイーターの対称軸の向きは、頭部が静止要素の上にあるとき、最初に録音された多次元サウンドデータをすべてユーザが認識することを可能にする。
【００３２】
ツイーターの対称軸とリスニング軸が一致する位置では、リスニング軸に対する音の高い周波数の対称性により、忠実度の高いバイノーラルマイクにより得られたオーディオ録音を聞く場合、上述の録音システムで得られた音の指向性の検出が可能になる。このようにして、既存のミュージカルピローに典型的な音源の指向性に関する音知覚が改善される。例えば、上から下へ、またはその逆に移動する音、またはリスナーに対して前方に移動する音のリスニングを改善できる。実際、左右のツイーターの位置をリスニング軸と同軸にすることで、ツイーターがリスニング軸よりも上または下に配置されることが回避されるため、音源が上下に移動したり、その逆に移動した場合のリスニングの混乱を回避する。同様に、左右のツイーターの位置をリスニング軸と同軸にすることで、ツイーターがリスニング軸の長手方向のさらに前方または後方に配置されることが回避されるため、音源が長手方向に対して前方または後方に移動する場合のリスニングの混乱が回避される。代わりに、より低い周波数を再生するウーファーの非対称位置は、方向情報をさらに画定するために、低と高の間の周波数スペクトルの方向分離を可能にする。
【００３３】
２つのツイーターがユーザの頭部のリスニング軸の上に収束するように配向されている位置では、録音時に、それを取得するのに使用されたマイクシステムに関して正面方向から来た音の改善された知覚が得られる。
【００３４】
有利に、左右のツィーター間の距離は４０から８０ｃｍの間に設定される。このようにして、この距離は、ユーザの頭部を囲むリスニング空間内に音響再生の領域を形成することを可能にし、再生の忠実度を最大にする。
【００３５】
例示的な実施形態において、静止要素は、長手方向に対して対称で、ユーザの頭部の一部を収容するように配置された収容凹部を提供する。
【００３６】
特に、ユーザが仰向けになっている場合は、収容凹部は、顎、口、鼻および目を含むユーザの顔の部分を快適な方法で受容するように構成され、ユーザに快適感を提供する。この場合、上記の構造のうちの１つを維持しながら、ツイーターは互いに交換され、ウーハーは互い交換される。このようにして、ユーザの顔が反対側を向いているにもかかわらず、ユーザへの多次元効果は維持される。
【００３７】
有利に、顔面用の収容凹部は、ラテックス、または被験者の顔面に適応可能になるように設計された他の材料などの柔らかい材料および通気性で作られている。
【００３８】
ユーザが腹臥位で静止要素で休憩している場合、収容凹部は、ユーザの頭の後ろ側にセンタリング領域を提供する。
【００３９】
特に、収容凹部は、円形断面、半円形断面、またはユーザの頭部を中心に置くのを助ける他の対称形状を有してもよい。
【００４０】
有利に、ユーザが頭の後ろで休憩する場合、互いに硬度の異なる材料で作られた取り外し可能なインサートを提供することができる。頭の支持をより快適にすることに加えて、ユーザの頭の後部をセンタリングするための基準点を提供することによって、インサートは頭のセンタリングを補助する。
【００４１】
本発明のさらなる例示的な実施形態において、静止要素は、変形可能なプラスチック製のマイクロ穿孔材料と、右スピーカーおよび左スピーカーに接続するためのワイヤーを有する。
【００４２】
このようにして、プラスチックの変形可能な材料の存在は、ユーザが休んでいる間に、肩と首の関節の正しい位置を可能にし、筋骨格疾患を回避する。
【００４３】
有利に、微小穿孔は、１から５ｍｍの間に含まれるサイズを有する。このようにして、穴のこのサイズはユーザの頭を常にドライに保つことを可能にし、蒸散を支援している。
【００４４】
例示的な実施形態において、静止要素の表面に滑り止めのステッカーが提供される。このようにして、滑り止めのステッカーの存在は、例えば肘掛け椅子のヘッドレスト上に静止要素を配置することを可能にし、多くの状況での使用を可能にする。
【００４５】
本発明の代替の例示的な実施形態において、左横方向支持エレメントおよび右横方向支持エレメントのための接続部材が提供される。例示的な実施形態において、接続部材の存在は、移動中にそれを使用するという利点と共に、ヘッド支持体を頭部に装着することを可能にする。
【００４６】
好ましくは、接続部材は可撓性であり、したがってユーザの頭部にフィットし、その間に要素は分離を回避する弾力性を提供する。
【００４７】
本発明のさらなる例示的な実施形態において、リスニング空間内でユーザを防音する構造を形成するために、右横方向支持エレメントおよび左横方向支持エレメントは、互いに連結されている。このようにして、ヘッド支持体は、例えば休息中または移動中に使用することができる。
【００４８】
好ましくは、右横方向支持エレメントおよび左横方向支持エレメント、およびレスト要素は、ラテックス、発泡ポリウレタンなどからなる群から選択される人間工学的材料でできている。
【００４９】
本発明の例示的な実施形態において、タブレット、スマートフォン、ＰＣ、ＣＤ／ＤＶＤリーダー、またはデータストリーミング用のイーサネット（登録商標）ネットワークなどのデバイスへのヘッド支持体の接続が提供される。ユーザが上述のデバイスと対話することができるようにする遠隔制御もまた提供され得る。
【００５０】
さらなる例示的な実施形態において、ユーザと対話するための静止要素上のセンサが提供される。そのようなセンサは、ユーザの頭部の動き、ならびにユーザが静止要素に及ぼす圧力を測定することができる。これらのセンサはユーザの状態を検出することができ、例えば頭部および眼球の動きを識別し、ヘッド支持体のソフトウェアコンテンツとの相互作用を可能にする。センサはまた、本のページの開閉を認識することによって、同期された音環境を活性化することを目的としている。センサは環境光と相互作用するように構成することもできる。
【００５１】
さらなる例示的な実施形態において、サラウンドシステムを形成するように、リスニング空間内に配置された５つのスピーカーが提供される。チャンネルは、増幅されたオーディオ信号またはＨＤＭＩ（登録商標）を介して接続することができる。ＰＣのような音声伝送のためのデバイスは、音声コンテンツを提供する。
【００５２】
可能な例示的な実施形態において、連接構造は、タブレットなどの携帯機器を支持するように構成される。このようにして、静止要素の上に乗るユーザは、タブレットを使用するときの経験を最大にするために、連接構造を好みに合わせて調整することができる。
【００５３】
本発明のさらなる例示的な実施形態において、静止要素は、所定の方向に向けられたユーザの頭部用の収容領域を有し、方向は水平面と角度を形成する。このようにして、収容領域の傾斜は、頭部が静止要素上にあるとき、ユーザが最初に録音された全ての多次元サウンド情報を認識することを可能にする。
【００５４】
本発明の別の態様によれば、音源のバイノーラル録音のシステムが提供され、システムは：
２つの対向する右側と左側の間に物理的および音響的障壁を提供するように構成されたダミーヘッドと、
ダミーヘッドの２つの対向する右側と左側に取り付けられた２つの耳介であって、外側を向く入口を有する凹部を画定する中央チャネルと、耳輪と耳たぶとの間の空洞を有する耳介と、
２つの耳介に関連する２つの横マイクカプセルであって、横マイクカプセルは、録音環境に存在する音源から来る音を録音するように構成され、集音面を有する横マイクカプセルを備え、
実質的に入口にかつ凹部内に配置されている集音面と共に、横マイクカプセルのそれぞれは、それぞれの耳介の中央チャネルの凹部内に配置されており、
バイノーラル録音のシステムは、ダミーヘッドの２つの対向する右側と左側に取り付けられた２つのさらなる横マイクカプセルと、ダミーヘッドに対して横方向に向けられた集音面を有し、２つのさらなる横マイクカプセルは、耳介からある距離を置いて取り付けられ、特に、耳介上に取り付けられた横マイクカプセルに対して垂直方向に異なる位置に取り付けられている。
【００５５】
このようにして、音は、耳介の中心のチャンネルの入り口で集められ、来技術のバイノーラルマイクのような人工の聴覚チャンネルを横切った後ではない。この解決策は、そうでなければ音が人工の聴覚チャネルを通って伝播されるときに生じるであろう元の音の歪みおよびごう音を回避する。
【００５６】
集音面が耳介の凹部に配置されているという事実は、耳介、特に耳介の耳輪が、頭の後ろまたは上から来るような音を遮蔽することを可能にする。これは側面から来る音と比較してそれらの音のより良い識別を可能にする。
【００５７】
さらに、２つの横マイクカプセルの存在は、耳介内に配置されかつ上に定義された横マイクカプセルを通して収集された音に、横方向に来る音の完全かつ直接的な知覚を追加する。このようにして、上下方向に移動する録音された音を知覚することが可能である。
【００５８】
本発明の例示的な実施形態において、ダミーヘッドの正面に向いた集音面を有する２つの正面マイクカプセルが、ダミーヘッドに取り付けられ、特に、耳介に取り付けられた２つの横マイクカプセルの２つの集音面は、互いに所定の第１の距離で配置されており、正面マイクカプセルは、第１の距離より短い第２の距離で互いに配置されている。特に、第１の距離は耳介から１５から１３ｃｍの間に設定され、第２の距離は耳介から１３から１０ｃｍの間に設定され、特に、２つの耳介の耳輪は、互いに１５から２０ｃｍの距離に設定されている。特に、２つの正面マイクカプセルは、横マイクカプセルとは垂直方向に異なる位置ｈ１に配置され、特にそこから１から３ｃｍ上または下に配置される。
【００５９】
このようにして、上記の横マイクカプセルを通して得られる集音に関して、正面方向から来る集音が得られ、人の顔の正面部分による音の感覚をシミュレートし、そして正面方向から来る音の忠実度を改善する。
【００６０】
さらに、横マイクカプセルが人間の耳の耳介による音の収集をシミュレートする一方で、正面マイクカプセルの内側位置は、内側位置で実行される集音を引き起こす。この効果は、耳介に対して内側にある、人間の耳の蝸牛によって提供される集音に類似している。
【００６１】
左右から来る音から上または後ろから来る音を遮蔽するために、耳介、特に人間の耳にはより外側の部分である２つの耳介の耳輪は、互いに１５から２０ｃｍの距離にある。
【００６２】
可能な例示的な実施形態において、２つの正面マイクカプセルは、横マイクカプセルよりも垂直方向において低い位置にある。
【００６３】
１から３ｃｍに設定された高さの差だけ、正面マイクカプセルが横マイクカプセルより低い位置にあるという事実は、リスナーが垂直方向に移動する音をより信頼できる方法で知覚することを可能にする。実際、横マイクカプセルは、前面のものとは異なる方向に、上下方向またはその逆方向に移動する音の強度を認識する。そのような効果は、人間の耳のように、聴覚チャネルより低い蝸牛の位置を再現する。
【００６４】
本発明のさらなる例示的な実施形態において、２つの正面マイクカプセルの間には仕切り壁が配置されている。音響的に絶縁性の材料でできている仕切り壁は、２つの前面カプセルを音響的に絶縁するように配置されている。
【００６５】
このようにして、仕切り壁の存在は音響遮蔽を提供し、音響遮蔽は、各前面カプセルが左右それぞれの側面から来る音を区別することを可能にする。
【００６６】
本発明の別の態様によれば、上で定義されたようなバイノーラル録音のシステムによって得られるオーディオ録音の少なくとも一部を含むオーディオ製品または視聴覚製品が提供される。
【００６７】
本発明のさらなる態様によれば、多次元音響効果を分配するためのシステムが提供され、システムは、
特に上記で定義された好ましい例示的な実施形態として、スピーカーを組み込んだヘッド支持体と、
複数のオーディオトラックを含むメモリ部であって、各オーディオトラックは、人体の障害を定義するオブジェクトに関連付けられたバイノーラル録音のシステムによって取得され、複数の内の各オーディオトラックは、録音時に音源が配置されている少なくとも１つの所定の身体部分と関連付けられる、メモリ部と、
スピーカーを組み込んだヘッド支持体にオーディオトラックを送信するように構成された制御部と、
制御部に接続され、前記身体部分または各身体部分の表現をグラフィック表示し、少なくとも１つの身体部分を選択することを可能にするように構成された入力インターフェースを備え、
制御部は、インタフェースに存在する前記身体部分または各身体部分が選択されると、制御部が支持体のスピーカに少なくとも１つの選択された身体部分に関連する少なくとも１つのオーディオトラックを再生させるように構成される。
【００６８】
このようにして、バイノーラル録音のシステムを使用して、複数のオーディオトラックが得られ、各々がバイノーラル録音のシステムに関して所定の位置で発生した音に反応する。特に、空間の各位置は、人体の障害者をシミュレートするように構成されたオブジェクトを使用して識別された身体部分を指す。
【００６９】
特に、支持体のスピーカーによって再生されるオーディオトラックの聴取を通して、支持体に頭を乗せているユーザは、選択された身体部分に対応する、録音された音源の多次元音響効果の鑑賞を可能にする聴取経験を受ける。
【００７０】
このようにして、システムは、例えば自閉症患者または聴覚障害者の聴力を刺激するためのリハビリテーションの道具として使用することができる。例えば、療法士は、患者によって識別されなければならない、またはいずれにせよ患者をさらに刺激する異なる身体領域の活性化を決定することができる。
【図面の簡単な説明】
【００７１】
本発明のさらなる特徴および／または利点は、添付の図面を参照しながら例示的であるが限定的ではない、その例示的な実施形態の以下の説明によってより明確にされるであろう：
【図１】図１Ａは、２つのスピーカーがリスニング軸に対して所定の第１の仰角で配向され、それぞれのツイーターは、互いに一直線上にあり、リスニング軸と平行な対称軸を有する、本発明によるスピーカーを組み込んだヘッド支持体の概略背面図である。  図１Ｂは、２つのスピーカーが所定の第２の仰角を向いており、それぞれのツイーターは、リスニング軸に対して上方に位置する点に向かって収束する対称軸を有する、本発明によるスピーカーを組み込んだヘッド支持体の概略背面図である。
【図２】図２Ａは、図１Ａの支持体の概略側面図である。  図２Ｂは、図１Ｂの支持体の概略側面図である。
【図３】図３Ａは、図１Ａの支持体の概略上面図である。  図３Ｂは、図１Ｂの支持体の概略上面図である。
【図４】図４は、ユーザの顔の一部のための収容凹部を有する、図１Ａのスピーカーを組み込んだヘッド支持体の例示的な実施形態の概略正面図である。
【図５】図５、６、７および８は、それぞれ、図１Ａの支持体の例示的実施形態の横断面図、背面図、上面図、および側面図を示す。
【図６】同上。
【図７】同上。
【図８】同上。
【図９】図９、１０および１１は、図１Ａのヘッド支持体の例示的な実施形態の斜視図、断面図およびさらなる斜視図をそれぞれ示す。
【図１０】同上。
【図１１】同上。
【図１２】図１２、１３および１４は、椅子および肘掛け椅子上に支持体を配置するための滑り止めステッカーを有する、図１Ａの支持体のさらなる例示的な実施形態の斜視図、側面図、および上面図をそれぞれ示す。
【図１３】同上。
【図１４】同上。
【図１５】図１５、１６および１７は、２つの左横方向支持エレメントおよび右横方向支持エレメントの間に接続部材を含む、図１Ａの支持体のさらなる例示的な実施形態の斜視図、上面図、および横断面図をそれぞれ示す。
【図１６】同上。
【図１７】同上。
【図１８】図１８、１９および２０は、図１Ａの支持体のさらなる例示的な実施形態の斜視図、正面断面図、および横断面図をそれぞれ示す。
【図１９】同上。
【図２０】同上。
【図２１】図２１は、オーディオ／ビデオ外部ユニットを備える、図１Ａのスピーカーを組み込んだヘッド支持体の例示的な実施形態の概略上面図を示す。
【図２２】図２２は、図１Ａのスピーカーを組み込んだヘッド支持体の例示的な実施形態の概略上面図であり、センサシステムが静止要素上に設けられている。
【図２３】図２３は、図１Ａのスピーカーを組み込んだヘッド支持体の例示的な実施形態の概略上面図であり、さらに３つのスピーカーが設けられている。
【図２４】図２４は、図１Ａのスピーカーを組み込んだヘッド支持体の例示的な実施形態の概略上面図であり、連接構造は、携帯機器を支持するように構成される。
【図２５】図２５は、図１Ａのヘッド支持体の可能な例示的な実施形態の斜視図である。
【図２６】図２６は、図１Ａのスピーカーを組み込んだヘッド支持体の断面図であり、静止要素は、水平面内に対して斜めのハウジングを有する。
【図２７】図２７は、ユーザの頭部のための収容凹部を備える、図１Ａのスピーカーを組み込んだヘッド支持体の第１の例示的な実施形態の斜視図を示す。
【図２８】図２８は、ユーザの頭部のための収容凹部を含む、図１Ａのスピーカーを組み込んだヘッド支持体の第２の例示的な実施形態の斜視図を示す。
【図２９】図２９は、図２７および２８に記載された例示的な実施形態によって得られるヘッドセンタリングの効果を示す概略図である。
【図３０】図３０は、アンプハウジングを備える、図１Ａのスピーカーを組み込んだヘッド支持体の例示的実施形態の斜視図である。
【図３１】図３１は、左右の聴覚チャネル内に配置された２つの横マイクカプセルを有する、バイノーラル録音の従来技術のデバイスの概略図を示す。
【図３２】図３２は、２つのマイクカプセルが人工心耳と同一平面上に配置されている、本発明によるバイノーラル録音のシステムの正面図である。
【図３３】図３３は、図３２のシステムの上面図を示す。
【図３４】図３４および図３５は、図３２のシステムの右側面図および左側面図を示す。
【図３５】同上。
【図３６】図３６は、ダミーヘッドに２つのさらなる正面マイクカプセルが取り付けられた、図３２のバイノーラル録音のシステムの例示的実施形態の正面図を示す。
【図３７】図３７は、図３６のバイノーラル録音のシステムの上面図である。
【図３８】図３８は、正面マイクカプセルは、ダミーヘッド内に配置され、２つの横マイクカプセルに対して中央位置にあり、ダミーヘッドの前面に向いている、図３２のバイノーラル録音のシステムの別の例示的な実施形態の正面図を概略的に示す。
【図３９】図３９は、図３８のバイノーラル録音のシステムの概略上面図を示す。
【図４０】図４０は、２つの横マイクカプセルと３つのフロントマイクカプセルがダミーヘッドに取り付けられた、図３２のバイノーラル録音のシステムのさらなる例示的な実施形態の概略正面図を示す。
【図４１】図４１は、図４０のバイノーラル録音のシステムを概略上面図で示す。
【図４２】図４２は、ダミーヘッドに取り付けられた２つのさらなる横マイクカプセルを備える、図３２のバイノーラル録音のシステムの別の例示的な実施形態を概略上面図であり、特に、２つのさらなる横マイクカプセルは、耳介に対して垂直方向においてより高い位置に取り付けられ、横方向に向けられる。
【図４３】図４３は、４つの横マイクカプセルと３つのフロントマイクカプセルを有する図３２のバイノーラル録音のシステムの別の例示的な実施形態の概略正面図を示す。
【図４４】図４４は、４つの横マイクカプセルと２つのフロントマイクカプセルを備えた、図３２のバイノーラル録音のシステムのさらなる例示的実施形態の概略正面図を示す。
【図４５】図４５は、図４４のバイノーラル録音のシステムの例示的な実施形態の概略正面図を示し、２つの正面マイクカプセルの間に仕切り壁が配置されている。
【図４６】図４６は、前置増幅ユニットおよびＰＣ上の記憶ユニットを用いて、音源からの音を録音するように構成され、図３２から図３５のバイノーラルマイクユニットを含むオーディオ録音のブロック図を示す。
【図４７】図４７は、２つの正面マイクカプセルを追加することによって、図４２に対して修正された、図３６および図３７のバイノーラルマイクユニットによるオーディオ録音ブロック図である。
【図４８】図４８は、正面マイクカプセルを追加することによって、図３２に対して修正された図３８および図３９のバイノーラルマイクユニットによるオーディオ録音ブロック図である。
【図４９】図４９は、音源を取得するように構成された３つのさらなる正面マイクカプセル、前置増幅ユニット、およびＰＣ上の記憶ユニットを備えた、バイノーラルマイクユニットによるオーディオ録音ブロック図である。
【図５０】図５０は、バイノーラル録音の改善されたシステムの正面図を示し、マイクカプセルは、防音用に構成されたハウジング内に配置される。
【図５１】図５１は、バイノーラル録音の改善されたシステムの断面図であり、マイクカプセルは、防音用に構成されたハウジング内に配置される。
【図５２】図５２は、バイノーラル録音の改善されたシステムのさらなる断面図を示し、マイクカプセルは、防音用に構成されたハウジング内に配置される。
【図５３】図５３は、図３２から５２のバイノーラル録音のシステムを使用する、本発明によるシステムの例示的な実施形態の概略図であり、バイノーラル録音のシステムに関して所定の位置で発せられた音に関してそれぞれ複数のオーディオトラックを録音する。
【図５４】図５４は、図５３のさらなる例示的な実施形態を示す。
【図５５】図５５は、図５３および５４に記載されているように録音されたオーディオトラックを再生するためのソフトウェアのブロック図を示す。
【図５６】図５６は、図５３および図５４の例に記載されているように取得されたオーディオトラックの再生のためのフローシートを示す。
【発明を実施するための形態】
【００７２】
図１Ａ、図１Ｂ、図２Ａ、および図３Ａを参照し、本発明によると、スピーカーを組み込んだヘッド支持体１００は、ユーザの頭部５０用のレスト要素１０と、それぞれ、静止要素１０の右側１１および左側１２に配置されている２つの右側２０および左側３０の横方向支持エレメントとを備える。
【００７３】
右スピーカー２１および左スピーカー３１は、それぞれ右横方向支持エレメント２０および左横方向支持エレメント３０に取り付けられている。横方向支持エレメントは、それぞれ、リスニング空間８０に面する放音面２２、３２を有する。静止要素１０は、頭部の一部５１にレスト領域１３を提供する。
【００７４】
リスニング空間８０は、２つの右側２０と左側３０の支持要素と、支持要素２０、３０に平行な長手方向１５の間に画定される（図１Ｂにのみ示されているが、図１Ａの例示的な実施形態にも同様に存在する）。２つの右スピーカー２１と左スピーカー３１のそれぞれは、ウーファー２３、３３とツイーター２４、３４を有する。ツイーターは対称軸６０を有する。
【００７５】
左右のスピーカー２１、３１の方向に向いた左右の耳５２、５３を用いてユーザの頭部を位置決めするように構成されたハウジング１３が頭部の一部５１に設けられている。ユーザの左右の耳はリスニング軸５４を形成し、その結果、ツイーター２４、３４の対称軸６０は、リスニング軸５４に対して所定の仰角αで、実質的にゼロに等しい第１の仰角値と実質的に４５度に等しい第２の仰角値との間に配向される。第１の場合にはツイーター２４、３４は、互いに一直線上にありかつリスニング軸に対して平行なそれぞれの対称軸６０を有し、第２の場合、ツイーター２４、３４は、リスニング軸５４よりも高い位置にある点に向かって収束する対称軸を有する。
【００７６】
図２Ｂを参照すると、スピーカーを組み込んだヘッド支持体１００の可能な例示的な実施形態において、ツイーター２４および３４は、０から５ｃｍの間に設定された所定の高さｚだけリスニング軸よりも高い中心を有する。
【００７７】
ツイーター２４および３４とウーファー２３および３３は、０度と４５度の間に設定された所定の傾斜角βだけ水平面内で角度を成して所定の方向に向けられて配置されており、好ましくは傾斜角は０度から３５度の間に設定されている。
【００７８】
さらに、ツイーター２４、３４は、長手方向に沿って、０から１０ｃｍの間に設定された所定の距離ｘだけ、ユーザに対して近位に平行移動するそれぞれの中心を有する。
【００７９】
さらなる例示的な実施形態において（図３Ｂ）、ツイーター２４、３４およびウーファー２３、３３は、０度と１０度との間に設定された所定の配向角度γだけ垂直面内に配向された所定の方向２６に配置されている。
【００８０】
図４を参照すると、図１Ａ、図１Ｂ、図２Ａ、図２Ｂ、図３Ａ、および図３Ｂと同じ参照番号を有するヘッド支持体の例示的な実施形態３００は、ユーザの顔面７０の一部７１を受け入れるように構成された収容凹部１４を含む。この場合、上記の構造のうちの１つを維持しながら、ツイーター２４、３４は互いに交換され、ウーファー２３、３３は互いに交換される。このようにして、ユーザの顔が反対側を向いているにもかかわらず、ユーザの多次元効果は維持される。
【００８１】
図５を参照すると、ヘッド支持体の例示的実施形態４００において、静止要素は、図１Ａ、図１Ｂ、図２Ａ、図２Ｂ、図３Ａ、および図３Ｂを参照して示された構造および効果を変えずに、円筒形状を有することができる。この場合、ヘッド支持体の例示的な実施形態は、オーディオ接続部材８１（前述の構造であっても、当業者によって応力なしに固定することができる）を含む。
【００８２】
図１Ａ、図１Ｂ、図２Ａ、図２Ｂ、図３Ａ、および図３Ｂを参照して示された構造および効果を変えずに、図６から図８を参照すると、静止要素のためのプラスチックの変形可能なカバー９０を有するヘッド支持体のさらなる例示的な実施形態４００が示される。カバーは、１から５ｍｍの間に含まれる大きさの複数の穴を有する微小穿孔材料でできている。
【００８３】
図１Ａ、図１Ｂ、図２Ａ、図２Ｂ、図３Ａ、および図３Ｂを参照して示された構造および効果を変えずに、図９から図１１を参照すると、ヘッド支持体の例示的な実施形態５００は、ユーザの頭頂面に面する、頭部の前部に静止要素１０を備える。例として、図１１は赤ちゃん用のゆりかごの上のヘッド支持体を示している。
【００８４】
図１Ａ、図１Ｂ、図２Ａ、図２Ｂ、図３Ａ、および図３Ｂを参照して示された構造および効果は変えずに、図１２から図１４を参照すると、ヘッド支持体の例示的な実施形態６００は、静止要素の表面の一部に配置された滑り止めステッカー１３０を備える。滑り止めステッカー１３０の存在は、例えば、ソファまたは肘掛け椅子６１０にヘッド支持体を取り付けることを可能にする。
【００８５】
図１Ａ、図１Ｂ、図２Ａ、図２Ｂ、図３Ａ、および図３Ｂを参照して示された構造および効果を変えずに、図１５から図１７を参照すると、ヘッド支持体の例示的な実施形態７００は、左横方向支持エレメント３０および右横方向支持エレメント２０用の接続部材３７を備える。例えば、接続部材３７は、音の多次元効果を維持しながら、ユーザが支持体を着用するのを助ける音透過性材料で作ることができる。
【００８６】
図１Ａ、図１Ｂ、図２Ａ、図２Ｂ、図３Ａ、および図３Ｂを参照して示された構造および効果を変えずに、図１８から図２０を参照すると、ヘッド支持体の例示的な実施形態８００は、左右２つの支持要素を接合し、着用することができ、改善された聴取体験を提供するために被験者の顔を覆う接続部材３８を備える。
【００８７】
図１Ａ、図１Ｂ、図２Ａ、図２Ｂ、図３Ａ、および図３Ｂを参照して示された構造および効果を変えずに、図２１を参照すると、ヘッド支持体の例示的な実施形態９００は、支持体に接続され、制御装置９１０、例えばユーザによって操作され得る遠隔制御装置によって作動されるように構成されたマルチメディア装置９２０を含む。
【００８８】
図１Ａ、図１Ｂ、図２Ａ、図２Ｂ、図３Ａ、および図３Ｂを参照して示された構造および効果を変えずに、図２２を参照すると、ヘッド支持体のさらなる例示的実施形態９５０は、静止要素１０上に配置され、ユーザと対話するように配置された複数のセンサ９３０を備える。
【００８９】
図１Ａ、図１Ｂ、図２Ａ、図２Ｂ、図３Ａ、および図３Ｂを参照して示された構造および効果を変えずに、図２３を参照すると、ヘッド支持体の例示的な実施形態９６０は、静止要素１０に取り付けられたさらに４つのスピーカー９４０を備える。
【００９０】
図１Ａ、図１Ｂ、図２Ａ、図２Ｂ、図３Ａ、および図３Ｂを参照して示された構造および効果を変えずに、図２４を参照すると、支持体の例示的実施形態９７０は、タブレットなどの携帯機器９８０を支持するように構成された連接構造９９０を備える。
【００９１】
図２５は、革保護コーティングを有する変形可能な材料で作られたヘッド支持体の例示的実施形態の斜視図を示す。
【００９２】
図２６は、図１Ａのオーディオ再生ヘッド支持体のさらなる例示的実施形態の断面図を示し、静止要素１０は、水平面内で角度εだけ角度をなすユーザの頭部５０のためのハウジング１３を有する。
【００９３】
図２７は、図１Ａのオーディオ再生ヘッド支持体の例示的実施形態を示し、ここで、ユーザの頭部のための収容凹部１４は、長手方向１５に対して対称であり、円形断面を有するインサート２を収容するように構成された円形断面を有する。頭部５０に対するより快適な支持を実現するために、インサート２は、静止要素に使用される材料とは異なる硬度を有する材料で作ることができる。インサート２を収容ハウス１４に収容するとき、収容ハウス１４上に縁部１４’が存在することは、頭部５０を最適な聴取位置にセンタリングするための基準点を提供するというさらなる利点を有する。
【００９４】
図２８は、図２７の支持体のさらなる例示的実施形態を示し、収容ハウス１４は長手方向１５に対して対称な半円形スロットであり、同じ形状を有するインサート２を収容するように構成される。この場合でも、前の図の場合のように、スロットの縁部１４’は、ユーザの頭部をセンタリングするための基準点を提供する。
【００９５】
図２９は、凹部１４によるヘッドセンタリングおよび縁部１４’の効果に対する、図１Ａのそれと同様の支持体の概略図を示す。特に、ユーザが長手方向１５に対して偏心δの誤差で位置決めされている場合、両側の変化した聴取は偏心δに応じて知覚されるであろう。
【００９６】
図３０は、アンプハウジング４を備える、図１Ａの支持体の例示的実施形態の斜視図を示す。
【００９７】
図３１は、いわゆる「ダミーヘッド」１０１と人間の頭部に似た形状とを有するバイノーラル記録の従来技術のシステムを概略的に示す。「ダミーヘッド」は、例えばポリウレタンフォームで作られた絶縁バリアとして単純に構成された本体であってもよい。ダミーヘッド１０１は、２つの耳部１０２ａ、１０２ｂを有し、各耳部１０２ａ、１０２ｂは、人間の聴取チャンネルを模倣する聴取チャンネル１０３ａ、１０３ｂを有し、聴覚チャンネルを模倣するチャンネルまたは凹部１０４を有する。２つの横マイクカプセル１０５ａ、１０５ｂは、耳部１０２ａ、１０２ｂとは反対側の聴取チャンネル１０３ａ、１０３ｂの一端に配置され、人間の鼓膜の解剖学的位置に対応するように配置される。
【００９８】
図３２から図３５を参照すると、バイノーラル録音の改善されたシステムは、従来技術と同様に、２つの対向する左右の耳介１０６ａ、１０６ｂの間に物理的および音響的障壁を提供するように配置されたダミーヘッド１０１を含む。
【００９９】
本発明によれば、耳介１０６ａ、１０６ｂは、横方向を向く集音面１０１５ａ、１０１５ｂを有するように、２つの横マイクカプセル１０５ａ、１０５ｂを受容するように構成される。耳介１０６ａ、１０６ｂは、耳輪１０７ａ、１０７ｂと耳たぶ１０８ａ、１０８ｂとの間に画定された凹部１０１７ａ、１０１７ｂによって表される、人間の耳を模倣しない聴取チャンネルを有する。
【０１００】
各横マイクカプセル１０５ａ、１０５ｂは、凹部１０１７ａ、１０１７ｂの入り口１０１８ａ、１０１８ｂで凹部の内側にある集音面１０１５ａ、１０１５ｂを有する凹部１０１７ａ、１０１７ｂ上に配置されている。
【０１０１】
このようにして、図３１の従来技術のバイノーラルマイクのように人工の聴取チャンネルを横切った後ではなく、聴取チャンネルを表し、耳介の中心に位置する凹部１０１７ａ、１０１７ｂの入口１０１８ａ、１０１８ｂで音が直接、集められる。これは、従来技術の人工の聴取チャンネルを横切っている間に発生する音源の歪みおよびごう音を回避する。
【０１０２】
集音面１０１５ａ、１０１５ｂが凹部１０１７ａ、１０１７ｂ内に配置されているという事実は、耳介１０６ａ、１０６ｂ、特に耳介の耳輪１０７ａ、１０７ｂが、音響遮蔽を実行すると同時に、例えば頭部に対して後ろからまたは上から来る音を集めることを可能にする。このようにして、人間の耳のように、横方向に、すなわちそれぞれ右側または左側に配置された音源から来る音を、後ろからまたは上から来る音からよりよく区別することが可能である。
【０１０３】
集音面１０１５ａおよび１０１５ｂよりも突出し、左右から来る音に関して上または後ろからの音を部分的に遮蔽するために、人間の耳においてより突出している部分である耳介、特に２つの耳介１０６ａ、１０６ｂの耳輪１０７ａ、１０７ｂは、好ましくは互いに１５から２０ｃｍの間に設定された距離にある。
【０１０４】
図３６および図３７を参照すると、バイノーラル録音の改善されたシステムの例示的な実施形態は、図３２から図３５に記載されたものに従って配置された２つの横マイクカプセル１０５ａ、１０５ｂに加えて、ダミーヘッド１０１の正面に配置された２つの正面マイクカプセル１０５ｃ、１０５ｄを備える。
【０１０５】
このようにして、上で定義された横マイクカプセル１０５ａ、１０５ｂを通して得られた集音に、正面方向から来る集音も追加され、人の顔の正面部分から音声感覚をシミュレートし、正面方向から来る音に関する忠実度を改善する。
【０１０６】
２つの正面マイクカプセルの正面１０５ｃ、１０５ｄは、２つの横マイクカプセル間の直線距離ｄ２よりも短い直線距離ｄ１を有することができる（ｄ１＜ｄ２）。特に、正面マイクカプセル１０５ａ、１０５ｂの収集面１０１５ａと１０１５ｂとの間の距離ｄ２は、１５から１３ｃｍの間に設定され、正面マイクカプセル１０５ｃ、１０５ｄ間の距離ｄ１は、１３から１０ｃｍの間に設定される。
【０１０７】
このようにして、横マイクカプセル１０５ａ、１０５ｂが、人間の耳の耳介による聴取コレクションをシミュレートする一方、正面マイクカプセル１０５ｃ、１０５ｄの内側位置は、耳介内の内側にある人間の耳の蝸牛を模倣する集音を引き起こす。
【０１０８】
可能な例示的な実施形態において、２つの正面マイクカプセル１０５ｃ、１０５ｄは、図３６に示すように、２つの横型マイクロフォンカプセルから垂直方向下側の位置に、２つの横型マイクロフォンカプセルとの高さの差０＜ｈ＜ｈ１で配置されており、または図示しないより高い位置にも配置されている。
【０１０９】
横マイクカプセル１０５ａ、１０５ｂに対する正面マイクカプセル前部１０５ｃ、１０５ｄの高さの位置の差は、より現実的な方法で、垂直方向に移動する音のリスナーへの影響を再現するのに役立つ。実際、横マイクカプセル１０５ａ、１０５ｂは、前面カプセル１０５ｃ、１０５ｄとは異なる方法で、上下にまたはその逆に移動する音の強度を集める。特に、正面マイクカプセルは、設定されている高さの差１から３ｃｍの間だけ、横マイクカプセルよりも低いかまたは高い。これは、人間の耳の中、蝸牛の聴覚チャネルに対する高さの異なる位置を模倣する。
【０１１０】
横マイクカプセル１０５ａ、１０５ｂは、所定の第１の強度で録音するように構成され、正面マイクカプセル１０５ｃ、１０５ｄは、１から２０ｄｂの間に設定されたｄＢ単位のゲインの差で、第１の強度よりも小さい所定の第２の強度で録音するように構成され得る。このようにして、鼓膜を通して直接聞こえる音に関して、顔の骨格部分を横切る正面方向から移動する音に関して、前庭感覚の減少が、人間の耳のように模倣される。
【０１１１】
さらに、２つの正面マイクカプセル１０５ｃ、１０５ｄは、横マイクカプセル１０５ａ、１０５ｂとは逆の位相で録音するように構成され得る。あるいは、２つの正面マイクカプセル１０５ｃ、１０５ｄは、横マイクカプセル１０５ａ、１０５ｂに対して、２０／４０サンプルの位相シフトで録音するように構成され得る
【０１１２】
図３８および図３９を参照すると、バイノーラル録音の改善されたシステムの例示的な実施形態は、図３２から図３５に記載されたものに従って配置された２つの横マイクカプセル１０５ａ、１０５ｂと、ダミーヘッドの前に、２つの横マイクカプセル１０５ａ、１０５ｂよりも例えば４から５ｃｍの高さの差ｈ２だけ低い位置に配置された第３の横マイクカプセル１０５ｅを備える。この場合でも、ダミーヘッド１０１の正面方向から来る音の前庭感覚の集まりが得られる。これは、録音された音を聞いている間に、人の顔の正面部分から来る同じ感覚をシミュレートし、正面方向から来る音に関して忠実度を改善する。
【０１１３】
図４０および図４１を参照すると、バイノーラル録音の改善されたシステムの例示的な実施形態は、図３２から図３５に記載されたものに従って配置された２つの横マイクカプセル１０５ａ、１０５ｂと、図３６、図３７、図３８、および図３９に記載されたものに従ってダミーヘッドの正面に配置されている３つの正面マイクカプセル１０５ｃ、１０５ｄ、１０５ｅを備える。このようにして、複数の集音点のおかげで、正面方向から来る集音の忠実度がさらに高くなる。
【０１１４】
正面マイクカプセル１０５ｅは、他の２つの正面マイクカプセル１０５ｃ、１０５ｄに対して垂直方向（ｄ３＜ｈ）に、低い位置にあることができ、垂直方向に移動する音に対する録音された音の忠実度を向上させる。このようにして、上から下へ、またはその逆に移動する音源の方向性をより良く区別することが可能である。
【０１１５】
２つの正面マイクカプセル１０５ｃ、１０５ｄは、５から８ｄＢに設定されたデシベル単位のゲインの差について、横マイクカプセル１０５ａ、１０５ｂの第１の強度よりも小さい所定の第２の強度で録音するように設定でき、正面マイクカプセル１０５ｅは、３から５ｄＢの間に設定されたデシベルでのゲインの差について、第１の強度よりも小さい所定の第３の強度で録音するように構成される。このようにして、ユーザの顔の骨格下部を横切る正面方向から移動する音に関して、ユーザの顔の上部骨格部分を横切る正面方向から移動する音について、人間の耳のように前庭感覚の減少が再現される。
【０１１６】
正面マイクカプセル１０５ｅは、心臓形カプセルとすることができる。特に、１Ｈｚから２０ＫＨｚの全範囲に対して所定の周波数をカットするフィルタを設けることができる。フィルタは４−５ＫＨｚ未満の周波数をカットし、１２ｄＢのゲインで１２／２０ＫＨｚの間の周波数を増強することができる。このようにして、顔の骨格部分を横切る正面方向から来る音に対する人間の耳の挙動が再現される。特に、これらの音は低い周波数では減少し、高い周波数では増強される。
【０１１７】
少なくとも１つの正面マイクカプセル１０５ｃ、１０５ｄ、１０５ｅは、自動パンポット設定によって収集された信号を振動させるように構成される。このようにして、リスナーの耳は正面方向から来る音で刺激される。自動パンポットの範囲は、２０／３０％の範囲の左／中央点と右／中央点の間で設定でき、左／中央点と右／中央点との間の移動のための時間は、２０／８０ｍｓ内である。
【０１１８】
図４２を参照すると、バイノーラル録音の改善されたシステムの例示的な実施形態において、図３２から図３５に記載されたものに従って配置された２つの横マイクカプセル１０５ａ、１０５ｂが提供され、ダミーヘッド１０１に対して横方向で、左右両側に、２つの横マイクカプセル１０５ａ、１０５ｂよりも高く、耳介の上方（ｈ４＞ｈ３）に位置する２つのさらなる横マイクカプセル１０９ｃ、１０９ｄが提供される。
【０１１９】
耳介を有さない２つのさらなる横マイクカプセル１０９ｃ、１０９ｄは、耳介１０６ａ、１０６ｂ内に配置され、上記の横マイクカプセル１０５ａ、１０５ｂを介して得られるものに集音を追加し、正面から来る音と横から来る音の間のより良い区別を得る。
【０１２０】
図４３を参照すると、バイノーラル録音の改善されたシステムの例示的な実施形態は、図３２から図３５および図４２に記載されたものに従って配置された４つの横マイクカプセル１０５ａ、１０５ｂ、１０９ｃ、１０９ｄ、および相対的効果を追加する、図３８および図３９に記載されたものに従って配置された３つの正面マイクカプセル１０５ｃ、１０５ｄ、１０５ｅを備える。
【０１２１】
図４４を参照すると、図３２から図３５および図４２の記載に沿って配置された４つの横マイクカプセル１０５ａ、１０５ｂ、１０９ｃ、１０９ｄを有するさらなる例示的な実施形態が示されており、相対的な効果を追加する、図３６および図３７に記載されたものに従って配置されたさらに２つの正面マイクカプセル１０５ｃ、１０５ｄが提供される。
【０１２２】
図４５を参照すると、図４４と同様のバイノーラル録音のシステムの正面図が示されており、２つの正面マイクカプセル１０５ｃ、１０５ｄの間に位置する仕切り壁１０２０が設けられている。このようにして、仕切り壁１０２０の存在は、それぞれの前面カプセル１０５ｃ、１０５ｄがそれぞれ左右の側から来る音を画定することを可能にする音響遮蔽を決定する。
【０１２３】
図４６を参照すると、バイノーラルマイクユニットの処理段階に関するブロック図が例として示されており、ここで、２つの横マイクカプセル１０５ａ、１０５ｂは、音源から来るアナログ信号を取得し、それを前置増幅ユニットに送信する。前置増幅ユニットによって処理された後の信号は、アナログーデジタル変換のためのオーディオインターフェースに送信される。その後、デジタル信号は録音ユニットによって取得される。
【０１２４】
同様に、図４７は、４つのマイクカプセル、２つの横マイクカプセル１０５ａ、１０５ｂ、および２つの正面マイクカプセル１０５ｃ、１０５ｄの場合の処理段階の概略図を示す。
【０１２５】
図４８は、３つのマイクカプセル、２つの横マイクカプセル１０５ａ、１０５ｂ、および一つの正面マイクカプセル１０５ｅの場合の処理段階の概略図を示す。
【０１２６】
図４９は、５つのマイクカプセル、２つの横マイクカプセル１０５ａ、１０５ｂ、および３つの正面マイクカプセル１０５ｃ、１０５ｄ、１０５ｅの場合の処理段階の概略図を示す。図４２に示すように４つのカプセル、図４３に示すように４つの横マイクカプセルと３つの前面カプセル、または図４４に示すように４つの横マイクカプセルと２つの前面カプセルの場合の音の処理が得られる。
【０１２７】
図５０および５１は、本発明によるバイノーラルシステムの可能な実施形態の正面図（図５０）ならびに２つの断面図、ＬＩ-ＬＩ線の切断線で示す（図５１）およびＬＩＩ-ＬＩＩ線の切断線で示す（図５２）を示す。一例として、２つの横マイクカプセル１０５ａ、１０５ｂおよび３つの正面マイクカプセル１０５ｃ、１０５ｄ、１０５ｅを有する図４０および図４１の例示的な実施形態が使用される。当業者は、この例示的な実施形態を上記に示した他の場合に明らかに拡張することができる。
【０１２８】
図５０から５２において、要素１０９、１０１０、１０１１は、２つの正面マイクカプセル１０５ｃ、１０５ｄ、ならびにさらなる正面マイクカプセル１０５ｅおよび２つの横マイクカプセル１０５ａ、１０５ｂに属する静止要素である。ダミーヘッド１０１は、音響的に絶縁性の材料、例えば、耳介１０６ａ、１０６ｂを支持するための剛性フレーム１０１１を含む、ポリウレタンのような連続気泡または独立気泡を有するフォームで作ることができる。剛性フレームは、低周波数で振動を減らすように配置されている。さらに、要素１０９、１０１０、１０１１は剛性フレームに含まれている。
【０１２９】
図５１および図５２に示すように、要素１０１１は、ナイロン、ポリエチレンなどからなる群から選択されるプラスチック材料製の管状要素であり、要素には、例えばポリウレタンフォーム、ウールなどの軽量防音材料１３を充填することができる。
【０１３０】
要素１０９は管状形状を有し、防音材料の本体内に配置され、好ましくは、それは耳介の横マイクカプセル１０５ａから１０５ｅを支持するために使用される管状要素１１と接触しない。このようにして、録音に影響を与えるノイズを減らすことができる。
【０１３１】
図５３を参照すると、本発明による再生システムの例示的な実施形態が示されており、図３２から５２のバイノーラル録音のシステムを使用し、それによれば、複数のオーディオトラックがそれぞれバイノーラル録音のシステム１０１に対して所定の位置から発せられた音に関して録音される。特に、空間の各位置は、人体をシミュレートするように構成されたボディオブジェクト１０１’を使用して識別された身体部分を指す。
【０１３２】
図５３に記載の例では、ボディオブジェクト１０１’はバイノーラル録音のシステムに関連付けられ、頭部がバイノーラル録音のシステム１０１である人体の部分の位置を画定する。ボディオブジェクト１０１’と重なる領域のｍ×ｎ行列を識別するために、理想的な仕切りは、身体が含まれる二次元空間で作られている。特に、各領域は、ｍ行とｎ列の組み合わせの結果である。図に示す例では、行列ｍ×ｎの各領域に対して、バイノーラル録音のシステム１０１によって取得された所定の位置ｍｎにおいて音源が活性化される。音源は他の全ての位置ｍｎで作動され、録音が行われるたびに相対トラックオーディオを得る。このようにして、複数のオーディオトラックが作られ、オーディオトラックのそれぞれは、行列のｍ行４１、４２、４３、４４、４５、４７、４８、４９とｎ列４０、４０’、４０”との組み合わせの間で選択された位置ｍｎにおいて生成された音に対するものである。
【０１３３】
バイノーラル録音のシステム１０１が音源の方向に関する情報を保持することができるので、このようにして生成された忠実度の高いオーディオトラックは、図１から図３０を参照して上述したものと同じ忠実度レベルの再生システムで再生することができる。
【０１３４】
図５４を参照すると、図５３の実施形態と同様の本発明の例示的な実施形態が示されており、ここでは、オブジェクト１０１’とバイノーラル録音のシステム１０１とを含む三次元空間の仕切りが示されている。このようにして、オーディオトラックに対して１つの追加の空間的寸法が得られる。特に、音源は、患者の体をシミュレートしたオブジェクト１０１’の上または下の図５３の任意の位置ｍｎで作動させることができる。
【０１３５】
携帯機器９８０および音声再生のためのヘッド支持体と組み合わせて使用されるこのようなオーディオトラックは、録音中に音源が起動された位置ｍｎから来ると知覚される音を患者が聞くことを可能にする。より多くのオーディオトラックを組み合わせることで、再生のために選択されたセルｍｎに応じて所定の方法で、患者に対して動く音を再生することが可能である。例えば、患者に上下に動く音、またはその逆に動く音を知覚させる制作されたオーディオトラックであってもよい。
【０１３６】
より多くのゾーンｍｎを横切る移動する音源に関するオーディオトラックを録音することも可能である。この場合、後述するように、より多くのゾーンをカバーするそのようなオーディオトラックを、再生のための相対位置を選択して再生することができる。
【０１３７】
図５５を参照すると、ブロック図は、それぞれ図５３、５４で説明したように取得された複数のオーディオトラックを再生するための、インターフェース１０００に設置されたシステムの可能な例示的な実施形態を示す。例えばポインティングデバイス１００１によるインターフェースとの対話を通じて、支持体上にいるユーザは、それぞれの身体部分に位置する音源から来ると感じられるオーディオトラックの聴取を経験する。
【０１３８】
インターフェース１０００がタブレットまたはスマートフォンのいずれかである場合、インターフェースは、身体と身体部分に重なる複数の領域とを表す画像１００２を有するタッチスクリーン１０００’を備えることができる。特に、ユーザ、例えば音声再生の支持体の上にいる患者、または画像１００２と相互作用して選択された音を患者が知覚することを望む療法士は、上述の基準で録音されたオーディオトラックの再生を制御する。このような制御は、身体部分付近の、画像１００２内に存在する領域の選択と、画像１００２の所定の連続領域を通る刺激経路の選択との両方によって実行することができる。データベース１００３は、所定の身体部分１００４に関する録音のオーディオトラックと、複数の身体部分を横切る経路１００５に関するオーディオトラックの両方を含むことができる。バイノーラル録音のシステムによって得られるオーディオトラックを再生するために、ソフトウェアに存在する制御部１００６は、ヘッド支持体を制御するように構成されている。起動されたオーディオトラックは、無線接続またはプレーヤ１００７によるケーブル接続によって音声再生のためにヘッド支持体に送信される。例えば、患者の右足の高さで知覚される音、または足の右端から頭に向かって移動する音などを再生することができる。
【０１３９】
図５６は、インターフェース１０００との相互作用の結果としてのオーディオトラックの再生のためのフローシートを示す。セッション８５０の開始時に、ユーザはインターフェース１０００のタッチスクリーン１０００’と対話し、刺激制御を提供する。ユーザがタッチスクリーンの複数の領域８５１に対する制御を提供した場合、選択された領域８５３に対するオーディオトラック、または複数の領域８５２の経路を含むトラックオーディオが実行され、様々な領域間でクロスフェードする可能性がある。ユーザが単一の領域８５５に対する制御を提供した場合、選択された領域に対するトラックオーディオが実行される。
【０１４０】
いくつかの例示的な特定の実施形態の前述の説明は、概念的観点に従って本発明を完全に明らかにし、現在の知識を適用することによって、他がさらなる研究をすることなく、また本発明から逸脱することなく、特定の例示的な実施形態を様々な用途に修正および／または適合させることができるようになり、したがって、そのような適合および修正は、特定の実施形態と均等であると考えられる必要があることを意味する。本明細書に記載された異なる機能を実現するための手段および材料は、この理由のために、本発明の技術分野から逸脱することなく、異なる性質を有し得る。本明細書で使用される表現または用語は説明を目的としており、限定を目的としていないことを理解されたい。
【図１】
2019528626.tif 000003
【図２】
2019528626.tif 000004
【図３】
2019528626.tif 000005
【図４】
2019528626.tif 000006
【図５】
2019528626.tif 000007
【図６】
2019528626.tif 000008
【図７】
2019528626.tif 000009
【図８】
2019528626.tif 000010
【図９】
2019528626.tif 000011
【図１０】
2019528626.tif 000012
【図１１】
2019528626.tif 000013
【図１２】
2019528626.tif 000014
【図１３】
2019528626.tif 000015
【図１４】
2019528626.tif 000016
【図１５】
2019528626.tif 000017
【図１６】
2019528626.tif 000018
【図１７】
2019528626.tif 000019
【図１８】
2019528626.tif 000020
【図１９】
2019528626.tif 000021
【図２０】
2019528626.tif 000022
【図２１】
2019528626.tif 000023
【図２２】
2019528626.tif 000024
【図２３】
2019528626.tif 000025
【図２４】
2019528626.tif 000026
【図２５】
2019528626.tif 000027
【図２６】
2019528626.tif 000028
【図２７】
2019528626.tif 000029
【図２８】
2019528626.tif 000030
【図２９】
2019528626.tif 000031
【図３０】
2019528626.tif 000032
【図３１】
2019528626.tif 000033
【図３２】
2019528626.tif 000034
【図３３】
2019528626.tif 000035
【図３４】
2019528626.tif 000036
【図３５】
2019528626.tif 000037
【図３６】
2019528626.tif 000038
【図３７】
2019528626.tif 000039
【図３８】
2019528626.tif 000040
【図３９】
2019528626.tif 000041
【図４０】
2019528626.tif 000042
【図４１】
2019528626.tif 000043
【図４２】
2019528626.tif 000044
【図４３】
2019528626.tif 000045
【図４４】
2019528626.tif 000046
【図４５】
2019528626.tif 000047
【図４６】
2019528626.tif 000048
【図４７】
2019528626.tif 000049
【図４８】
2019528626.tif 000050
【図４９】
2019528626.tif 000051
【図５０】
2019528626.tif 000052
【図５１】
2019528626.tif 000053
【図５２】
2019528626.tif 000054
【図５３】
2019528626.tif 000055
【図５４】
2019528626.tif 000056
【図５５】
2019528626.tif 000057
【図５６】
2019528626.tif 000058
【国際調査報告】
2019528626.tif 000059
2019528626.tif 000060
2019528626.tif 000061
2019528626.tif 000062
2019528626.tif 000063